(57)【特許請求の範囲】
【請求項１】
底面壁と側面壁とを有する内ケースと外ケースとの間に、真空断熱材を含む断熱材を配設した保冷箱であって、
前記真空断熱材は前記内ケースの外側面又は外ケースの内側面に沿い、底面部と４つの側面部との構成面部を有し、前記真空断熱材の少なくとも２つの構成面部が一体に連続していると共に屈曲部を介して折れ曲がっており、
真空断熱材には、所定の部位又は部材を挿通させる貫通孔が前記屈曲部に位置しており、該貫通孔は、該真空断熱材の有する側面部の一つから前記底面部に亘って設けられた孔である
ことを特徴とする保冷箱。
【請求項２】
前記貫通孔には少なくとも内ケース又は外ケースの一部分が挿通されている請求項１記載の保冷箱。
【請求項３】
前記真空断熱材は、底面部と少なくとも１つの側面部とが連続していて、その屈曲部に前記貫通孔が位置して設けられており、該貫通孔に内ケースの底面壁に設けた水抜き用水路部が挿通されている請求項２記載の保冷箱。
【発明の詳細な説明】
【技術分野】
【０００１】
本発明は、魚釣りやレジャーに使用できるクーラーボックス等の保冷箱（保温箱を含む）に関する。
【背景技術】
【０００２】
グラスウールや発泡ウレタン等の芯材をラミネート用の樹脂被覆材によって被覆し、被覆材の内部の空気を抜いて低気圧化させた、所謂、真空断熱材がある。従来から保冷箱にこうした真空断熱材が使用されており、その真空断熱材には、配線、配管等の部材を挿通させる貫通孔が設けられている。
例えば、特許文献１の公報には、ガスバリアー性包装材よりなる袋の中に断熱芯材が封入された真空断熱材が貫通孔を有し、この貫通孔の内周部に沿ってガスバリアー性包装材同士をシールした真空断熱材が開示されている。
【特許文献１】特開平８−３０３６８６号公報
【発明の開示】
【発明が解決しようとする課題】
【０００３】
然しながら、上記のような真空断熱材を保冷箱に用いた場合、平面状の真空断熱材に貫通孔を設けているため、温度差に起因して貫通孔の周囲が変形して浮き上がった場合、ここから冷気が逃げ、所定の断熱性能が得られないという不具合があった。
依って解決しようとする課題は、真空断熱材を保冷箱に用いた場合、貫通孔周囲の変形を防止して、保冷効果を維持させることのできる保冷箱の提供である。
【課題を解決するための手段】
【０００４】
上記課題解決のために第１の発明では、底面壁と側面壁とを有する内ケースと外ケースとの間に、真空断熱材を含む断熱材を配設した保冷箱であって、前記真空断熱材は前記内ケースの外側面又は外ケースの内側面に沿い、底面部と４つの側面部との構成面部を有し、前記真空断熱材の少なくとも２つの構成面部が一体に連続していると共に屈曲部を介して折れ曲がっており、真空断熱材には、所定の部位又は部材を挿通させる貫通孔が前記屈曲部に位置しており、該貫通孔は、該真空断熱材の有する側面部の一つから前記底面部に亘って設けられた孔であることを特徴とする保冷箱を提供する。
保冷箱は保温箱にも使用できるのであり、本願の保冷箱は保温箱をも含む意味で用いている。
本願での挿通とは、真空断熱材の内側と外側とに亘って完全に突き抜けるように通っている場合の他、この真空断熱材の厚さ範囲内に侵入している場合も含む広い意味である。
【０００５】
第２の発明では、第１の発明の貫通孔には少なくとも内ケース又は外ケースの一部分が挿通されている保冷箱を提供する。
第３の発明では、第２の発明の真空断熱材は、底面部と少なくとも１つの側面部とが連続していて、その屈曲部に前記貫通孔が位置して設けられており、該貫通孔に内ケースの底面壁に設けた水抜き用水路部が挿通されている保冷箱を提供する。
【発明の効果】
【０００６】
例えば水抜き用の水路部や温度計等の所定の部位又は部材を、真空断熱材を挿通させる必要性がある。このための貫通孔を設ける場合、仮に真空断熱材を構成する構成面部の広がり面部に位置して設けた場合、保冷箱の実使用時には真空断熱材の外側と内側とでは温度差が大きくなり得て、この温度差のために貫通孔の縁部が変形する。温度差の無い状態での真空断熱材の貫通孔周辺領域は何れかのケース面に沿うように配設されていて、保冷効果を保持させようとしているが、実際の温度差によって貫通孔の縁部が変形した場合、ケースとの間に隙間を生じ、保冷箱の保冷効果が低減してしまう。これを防止するために、第１の発明では、貫通孔を、連続した２つの構成面部の屈曲部に位置して設ける。屈曲部はその形態に起因して変形し難い。従って、温度差が生じても貫通孔の縁部が変形し難くなるので、貫通孔周辺部はケースとの間に隙間を生じ難く、保冷効果を維持できる。
【０００７】
第２の発明では、真空断熱材の貫通孔に内ケースか外ケースの一部分が挿通しているため、保冷箱を組み立てる際にこれらのケースに対する真空断熱材の位置決めができ、組み立てが容易になる。
【０００８】
内ケースに設けた水抜き用水路部は、必然的に外ケースに連通させて水を外部に出す必要があるが、第３の発明では、水抜き用水路部を、側面壁に設けるよりも位置が低くて水抜き効果が高くなるように内ケースの底面壁に設けている。この位置の水抜き用水路部は、該内ケースと外ケースとの間に位置する真空断熱材の底面部と側面部とを連続させている屈曲部に貫通孔を位置させることを要するが、既述の如く、この屈曲部位置の貫通孔の縁部は変形し難く、その分、ケースとの間に隙間を生じ難くて保冷効果が維持できる。
【発明を実施するための最良の形態】
【０００９】
以下、本発明を図面を用いて詳細に説明する。図１は本発明に係る保冷箱の斜視図、図２は図１の保冷箱の排水口周辺の拡大断面図、図３は図１の保冷箱の主たる構成面部材の分解図、図４は図３の主たる構成部材の組立途中における排水口周辺の拡大断面図である。この保冷箱は、釣りやレジャー等に使用される、所謂、クーラーボックスである。直方体状の外ケース１０と、直方体状の内ケース１２と、これらの間に配設される真空断熱材１４が主たる構成部材である。
【００１０】
外ケース１０における左右の側面壁１０Ａ，１０Ｃには取付部１０Ｓが設けられ、クーラーボックスを携帯する時に用いるショルダーベルト２２やハンドル２０が取り付けられている。また、外ケース１０の内側には収納部１０ＳＮが形成され、その上方に開口部１０ＫＫを有し、該開口部１０ＫＫには、開閉操作部１０Ｋを介して開閉自在な蓋体１０Ｆが設けられている。前記収納部１０ＳＮには内ケース１２が収納されている。この内ケース１２は、上方に開口部１２ＫＫを有し、底面壁１２Ｔと、側面壁１２Ａ，１２Ｂ，１２Ｃ，１２Ｄとによって囲まれ、内部には収納部１２ＳＮが形成されており、各側面壁上端にはフランジ部１２Ｆが形成されている。このフランジ部を外ケース１０の各側面壁上端１０Ｆに載置させて外ケース１０と内ケース１２の間に適宜な隙間空間ＫＫを設けている。
【００１１】
この隙間空間ＫＫに断熱材を設けて保冷効果を維持させる。まず、内ケース１２の外側各面に沿うように、真空断熱材１４の各面部を形成、配設する。内ケース外側面に沿わせるのはホットメルト等の接着剤を用いて接着して行っている。ここでの真空断熱材１４は、屈曲部１４Ｋ，１４Ｋ’を介して底面部１４Ｔに対して左右の側面部１４Ａ，１４Ｃを一体に連続させたコ字状部材ＫＢと、前後の側面部１４Ｂ，１４Ｄとを別体で有している。内ケース１２の底面壁１２Ｔと１つの側面壁１２Ａとの連結折曲部の外側面に、コ字状部材ＫＢの底面部１４Ｔと一方の側面部１４Ａとを連結した屈曲部１４Ｋ’の内側面が合致して配設され、これで相対移動が規制されてコ字状部材ＫＢの内ケース１２に対する位置決めが成される。コ字状部材と他の部材１４Ｂ，１４Ｄとは、当接する周縁部に沿ってフィルム状のテープを貼着して接合し両者の隙間を塞いでいる。
【００１２】
底面部１４Ｔに左右側面部１４Ａ，１４Ｃを連続させたコ字状部材ＫＢにおいて、底面部１４Ｔと一方の側面部１４Ａとの屈曲部１４Ｋに位置するように、所定の大きさの貫通孔１４Ｈを形成している。これは、内ケース１２の底面壁１２Ｔの、側面壁１２Ａとの連結折曲部１２ＡＴに近い所から設けた水抜き用の水路部１２Ｓを挿通させるためである。
【００１３】
真空断熱材１４は、発泡性ポリウレタン等の合成樹脂、又はグラスウール等の無機繊維集合体を板状に成形した芯材Ｓを、外側被覆材ＳＺと内側被覆材ＵＺのガスバリアー性のラミネートフィルム等の被覆材によって包み、被覆材の中の空気を抜き取り、１０パスカル程度に減圧密封して形成する。貫通孔１４Ｈを設ける領域には、芯材は無く、外側被覆材ＳＺと内側被覆材ＵＺとによって形成している。
【００１４】
図２に現れているように、この例では、水路部１２Ｓの構成壁部は内ケース１２の底面壁１２Ｔに対して下方に突出するようにして形成されており、この水路部１２Ｓには、後述の通水管１８のフランジ部が侵入する。この通水管１８をできるだけ低い位置に装着することが、通水管１８を介した水抜き効果を高めるため、水路部１２Ｓは底面壁１２Ｔの内側面に対して下方に掘り下げるように形成している。この水路部は、真空断熱材１４の貫通孔１４Ｈの内の、底面部１４Ｔ側に延伸している孔部分１４ＴＨに挿通しており、一方の側面部１４Ａ側に延伸している孔部分１４ＡＨには、円筒状部材の通水管１８が挿通している。
【００１５】
しかし、この例に限らず、水路部１２Ｓを側面部１４Ａ側の孔部分にも挿通させるように、その方向に水路部１２Ｓを突出形成しても良い。通水管１８の一端部（フランジ部）は内ケース１２の内部に位置し、他端部は外ケース１０の一側面壁１０Ａの下部に設けた孔１０Ｈを通過している。この孔１０Ｈは凹部１０Ｒに位置しており、通水管１８の前記他端部はこの凹部１０Ｒ内に収まっている。この他端部には、栓体ＳＴが着脱可能に装着されており、通水管１８の排水口を塞いだり、開放したりできる。この栓体も凹部内に収まっている。参照番号ＳＴＮは、栓体が保冷箱から紛失することを防止するストッパー部材である。このようにして貫通孔１４Ｈには、内ケース１２と外ケース１０の少なくとも何れか一方の一部分、若しくは内ケース１２と外ケース１０の少なくとも何れか一方に設けられた部材が挿通している。
【００１６】
図２に現れているように、外ケース１２と内ケース１０との間の隙間空間ＫＫには、内ケース１２の外側面に沿って真空断熱材１４が配設されているが、この他の隙間部には発泡性ポリウレタンや珪酸カルシウム等の発泡断熱材１６が注入、充填され、断熱効果を高め、真空断熱材１４の移動をも規制する。また、図３の外ケースの参照番号１０Ｋ’は、蓋体の開閉操作部１０Ｋの収納凹部である。
【００１７】
図５は真空断熱材１４の底面部１４Ｔを含んだコ字状部材ＫＢの製法を説明する図である。真空断熱材１４は、予め芯材Ｓに貫通孔（１４ｈ）を形成しておき、外側被覆材と内側被覆材とによるガスバリアー性のラミネートフィルムからなる袋体の中に芯材Ｓを挿入し、袋体開口部と貫通孔内周部をヒートシールして封止しつつ内部を減圧することで、図５のように、一辺が湾曲状となった略四角形（言わば弾丸状）の貫通孔１４Ｈ’を所定位置に形成した平板状の真空断熱材用の部材を形成する。この部材は、底面部に左右の側面部１４Ａ，１４Ｃを併せた大きさである。貫通孔を横断する位置の所定ライン１４ＫＬと、他の所定ライン１４ＫＬ’に沿って折り曲げる。この各所定ラインが屈曲部１４Ｋ，１４Ｋ’となり、貫通孔１４Ｈ’は貫通孔１４Ｈとなる。芯材Ｓにおける真空断熱材１４の貫通孔１４Ｈ（又は１４Ｈ’）に対応する位置に設けられた孔１４ｈは、貫通孔１４Ｈ（１４Ｈ’）よりも大きく形成されている。また、貫通孔１４Ｈはその中央側に、外側被覆材ＳＺと内側被覆材ＵＺの端部が突出して小さくなり、その厚さ方向両側で大きくなっている。
【００１８】
屈曲部１４Ｋの詳細を図６と図７に示す。屈曲部１４Ｋの内側に位置して前記各ラインに沿って溝状部を押圧形成しておくのである。即ち、図６に示すように、貫通孔１４Ｈの周辺部は外側被覆材ＳＺと内側被覆材ＵＺとのラミネート構造であるが、この内側被覆材ＵＺに溝状部ＵＺＫを形成しておく。また、貫通孔１４Ｈの周辺部以外では、内外被覆材ＵＺ，ＳＺに芯材Ｓを挟んでおり、図７に明瞭に現れているように、この芯材Ｓと内側被覆材ＵＺとに溝状部ＳＫ，ＵＺＫを形成しておく。その後、図５に示すように、折り曲げるのである。
【００１９】
図２に示すように、外ケースの凹部１０Ｒの奥部も外側から貫通孔内に差し込まれているが、真空断熱材１４の貫通孔１４Ｈには、外ケース１０又は内ケース１２の何れかが挿通されていれば良く、また、内側から外側に通り抜けていなくても一部が差し込まれてる（侵入している）ものも挿通されたものとする。なお、真空断熱材１４の貫通孔１４Ｈに外ケース１０又は内ケース１２の何れかが通り抜けていて挿通されていてもよい。また、真空断熱材１４は内ケース１２の外側に沿わせたが、外ケース１０の内側に沿わせてもよい。そして、保冷箱を使用していない時等、真空断熱材１４の外側と内側の温度差の無い状態において、貫通孔１４Ｈの周辺領域は、内ケース１２の外側面又は外ケース１０の内側面に接触又は近接しており、この保冷箱を使用して温度差が生じても、貫通孔１４Ｈが屈曲部１４Ｋに位置して設けられているため、変形し難く、真空断熱材１４と内ケース１２又は外ケース１０との隙間が生じ難くて保冷効果を保持できる。
【００２０】
更には、上記例では貫通孔を底面部１４Ｔと側面部１４Ａとの屈曲部１４Ｋに設けたが、真空断熱材１４を構成する側面部同士が一体的に連続、例えば、側面部１４Ａと１４Ｂとが連続しており、その屈曲部の適宜な高さ位置に貫通孔を設け、該貫通孔を介して外ケースから内ケースに亘って温度計等の温度センサー等を挿入配設することもできる。更に、底面部１４Ｔや側面部１４Ａ等の一部を屈曲形状にして屈曲部を形成し、この屈曲部に貫通孔１４Ｈを位置させることもできる。この場合も、貫通孔が屈曲部に位置しているため、貫通孔縁部の変形を抑えて保冷効果を維持できる。また、真空断熱材構成面部の側面部は、４側面部全てを有することが好ましいが、何れかが無い場合もありえる。
なお、保冷箱が複数の真空断熱材を有している場合は、少なくとも１つの真空断熱材に本願の構成を有していれば良い。また、真空断熱材の屈曲部は、内ケースの外側面又は外ケースの内側面に沿うようにＬ字状やコ字状やロ字状等、様々に屈曲させて形成できる。
【産業上の利用可能性】
【００２１】
本発明は、魚釣りやレジャーに使用するクーラーボックス等の保冷箱（や保温箱）に利用できる。
【図面の簡単な説明】
【００２２】
【図１】図１は本発明に係る保冷箱の斜視図である。
【図２】図２は図１の保冷箱の排水口周辺の拡大断面図である。
【図３】図３は図１の保冷箱の主たる構成部材の分解図である。
【図４】図４は図３の主たる構成部材の組立途中における排水口周辺の拡大断面図である。
【図５】図５は真空断熱材のコ字状部材の製法を説明図である。
【図６】図６は屈曲部の詳細を示し、貫通孔を通る位置の部分断面図である。
【図７】図７は屈曲部の詳細を示し、貫通孔を通らない位置の部分断面図である。
【符号の説明】
【００２３】
１０                                外ケース
１２                                内ケース
１２Ａ，１２Ｂ，１２Ｃ，１２Ｄ      側面壁
１２Ｓ                              水抜き用水路部
１２Ｔ                              底面壁
１４                                真空断熱材
１４Ａ，１４Ｂ，１４Ｃ，１４Ｄ      側面部
１４Ｈ                              貫通孔
１４Ｋ，１４Ｋ’                    屈曲部
１４Ｔ                              底面部
【図１】
0004520950.tif 000002
【図２】
0004520950.tif 000003
【図３】
0004520950.tif 000004
【図４】
0004520950.tif 000005
【図５】
0004520950.tif 000006
【図６】
0004520950.tif 000007
【図７】
0004520950.tif 000008